(57)【特許請求の範囲】
【請求項１】
直径が５００ｍｍ前後の円形で、表面がわが中心厚１５０ｍｍとした凸面状の厚板状発泡樹脂体の表面中央に、直径１００ｍｍ、深さ５０ｍｍの１個の大径の有底装着穴を形成すると共に、その周辺に、それよりも小径の有底装着穴を適宜間隔を隔て同心輪状に複数配した上、中央の大径とした有底装着穴と内がわの小径の有底装着穴との間、該内がわの小径の有底装着穴と外がわの小径の有底装着穴との間、および該外がわの小径の有底装着穴の外がわの夫々には、凸面状とした厚板状発泡樹脂体部分を残存させ、それら残存する厚板状発泡樹脂体部分の各表面が遠心方向に下り勾配となる傾斜面となし、且つそれら残存部分の中心がわ上端縁の高さが外がわのもの程低くなるよう設定し、各有底装着穴を夫々タオル保持空間部に成型したものとする一方、当該厚板状発泡樹脂体は、その側周面と背面とが支持枠籠で包囲されてなるものとしたことを特徴とする葬祭用供花用タオル保持器。
【請求項２】
直径が５００ｍｍ前後の円形で、表面がわが中心厚１５０ｍｍとした凸面状の厚板状発泡樹脂体の表面中央に、直径１００ｍｍ、深さ５０ｍｍの１個の大径の有底装着穴を形成すると共に、その周辺に、その直径よりも小巾の装着溝を適宜間隔を隔て同心輪状に複数配した上、中央の大径とした有底装着穴と内がわの装着溝との間、該内がわの装着溝と外がわの装着溝との間、および該外がわの装着溝の外がわの夫々には、凸面状とした厚板状発泡樹脂体部分を残存させ、それら残存する厚板状発泡樹脂体部分の各表面が遠心方向に下り勾配となる傾斜面となし、且つそれら残存部分の中心がわ上端縁の高さが外がわのもの程低くなるよう設定し、各装着溝を夫々タオル保持空間部に成型したものとする一方、当該厚板状発泡樹脂体は、その側周面と背面とが支持枠籠で包囲されてなるものとしたことを特徴とする葬祭用供花用タオル保持器。
【請求項３】
小径の有底装着穴は、中央の大径とした有底装着穴の周辺に、遠心側へ向かう程裏面側へ後退、穿設されるようにした直径５０ｍｍ前後のものとなし、適宜間隔を隔て２０個前後散在状に配置、成型されてなるものとした、請求項１記載の葬祭用供花用タオル保持器。
【請求項４】
中央の大径とした有底装着穴の直径よりも小巾とした装着溝は、各装着溝の溝に交叉する縦断面が底部巾を開口巾よりも拡大した断面形のタオル保持空間部に成型されてなるものとした、請求項２記載の葬祭用供花用タオル保持器。
【発明の詳細な説明】
【０００１】
【発明の目的】
この発明は、葬祭の斎場等に供えられる供花に関するものであって、特に、生花や造花のみに留まらず、葬祭終了後にもリサイクル利用可能な日用品を組み合わせて装飾した新規な構造からなる葬祭用供花、およびそれに使用するタオル保持器を提供しようとするものである。
【０００２】
【従来の技術】
我が国の伝統的な仏教による葬祭において、故人に対する弔意と供養の気持ちをこめて祭壇の周囲に配され、霊前に供えられるようにした生花や花輪は、線香や蝋燭、千菓子、果物等と並び、故人を慰めようとする縁者や関係者にとって欠くことのできないものとなっているが、近年では、ゴミの減量化やリサイクル利用といった自然環境保護への関心が強まり、供花として飾られた後に、実用的に利用可能なタオルや酒類等を贈る人々が増加する傾向にある。
【０００３】
タオルを織り交ぜて製作されるようにした供花の例としては、例えば、特開２００１−２６２４１５号公報発明として開示された花篭用造花や、特開平５−２７０５６８号公報発明として示されている高級酒をメインにした盛籠並びに取り付け部盛り付け枠及び缶飲み物の詰め合せ等が既に提案済みとなっており、それら手段を利用することによって日用品を装飾の一部に用いるようにした供花の普及が少しずつ図られ始めている。
【０００４】
さらに、実用新案登録第３０６９９０４号公報考案として開示されている花輪用台座のように、針金によって形成された大小の輪を前後に配置させて前面の中央が突出するよう一体化し、その前面側に花立て用の輪を複数形成して複数枚のタオルを脱着可能に装着できるものに形成したものが提供されており、使用後には、タオルだけを取り外して日常の用途に使用するものとし、残った針金製の花輪用台座部分は、業者が持ち帰って反復使用できるものとして提供されているが、立体構造としたために嵩張る上、比較的重量もあって運搬や保管に不都合を来すものになる上、使用後に回収をするという回収手間を必要とするために反って高価なものになってしまうという課題を残すものとなっていた。
【０００５】
この発明は、タオル等実用品を装飾の一部に用いる葬祭用供花の上記のような状況に鑑み、比較的軽量で組み立て分解が容易であり、回収作業を不要とすることのできるタオルを用いた供花を実現することはできないものかとの判断から、逸速くその開発、研究に着手し、長期に渡る試行錯誤と幾多の試作、実験とを繰り返してきた結果、今回、遂に新規な構造の葬祭用供花、およびそれに使用する新規な構造のタオル保持器を実現化することに成功したものであり、以下では、図面に示すこの発明を代表する実施例と共に、その構成を詳述することとする。
【０００６】
【発明の構成】
図面に示すこの発明を代表する実施例からも明確に理解されるように、この発明に包含される葬祭用供花は、基本的に次のような構成から成り立っている。
即ち、平面状、凸面状、または凹面状に形成された表面の略中央に、大径の装着孔、有底装着穴、または装着溝を形成すると共に、その周辺に、それよりも小径の装着孔、有底装着穴、または装着溝を適宜間隔を隔て多数、散在状に配置、形成してなるタオル保持器を、同裏面側および外周壁面を包囲可能とする支持枠籠内に装着してその表面部が露出状となるようにした上、該支持枠籠の適所を立設用脚台上に連結、一体化して所定高さ位置に立設状であって、当該タオル保持器表面部がやや斜め上方に傾斜状となるよう支持したものとする一方、同タオル保持器の表面部略中央の大径の装着孔、有底装着穴、または装着溝、およびその周辺のそれよりも小径の装着孔、有底装着穴、または装着溝の夫々に、直径に応じた大きさであって好ましい色のタオルを花弁状となるよう挿し込み、装着してなる構成を要旨とする葬祭用供花である。
【０００７】
この基本的な構成からなる葬祭用供花を、より具体的な構成のものとして示すと、多角形で、各辺の夫々には折曲可能な糊代状舌片部を有する形状とした厚紙、プラスチック、金属等の平板状基板の略中央に大径の装着孔を形成すると共に、その周辺に、それよりも小径の装着孔を適宜間隔を隔て多数、散在状に配置、穿孔してなるタオル保持器を、同各糊代状舌片部が夫々裏面側に折曲されて多角形短筒状とされたまま、それらを裏面側から包囲かのうとする支持枠籠内に装着してその表面部が露出状となるようにした上、該支持枠籠の適所を立設用脚台上に連結、一体化して所定高さ位置に立設状であって、当該タオル保持器表面部がやや斜め上方に傾斜状となるよう支持したものとする一方、同タオル保持器の表面部略中央の大径の装着孔、有底装着穴、または装着溝、およびその周辺のそれよりも小径の装着孔、有底装着穴、または装着溝の夫々に、直径に応じた大きさであって好ましい色のタオルを花弁状となるよう挿し込み、装着してなる葬祭用供花ということができる。
【０００８】
また、この構成を、表現を変えて示せば、発泡樹脂成型品であって、凸面状に形成された表面の略中央に大径の装着孔、有底装着穴、または装着溝を形成すると共に、その周辺に、それよりも小径の装着孔  、有底装着穴、または装着溝を適宜間隔を隔て多数、散在状に配置したタオル保持器を形成し、該タオル保持器の表面部略中央の大径の装着孔、有底装着穴、または装着溝、およびその周辺のそれよりも小径の装着孔、有底装着穴、または装着溝の夫々に、直径あるいは溝径に応じた大きさであって好ましい色のタオルを花弁状となるよう挿し込み、装着して手提げ型の花籠内に盛り付け状に装着してなるものとした葬祭用供花であるということができる。
【０００９】
タオルは、花弁状に折り畳み形成した上、タオル保持器の表面に仮固定状に装着されて供花として盛り花状に飾られると共に、供花としての使用を終えた後には、タオル保持器から取り外されて日常的に実用可能なタオルとすることを可能とする機能を果たすものであり、花の色に近い淡い色に染色された複数種類のものを選択し、比較的小型のタオルを蛇腹状に折り畳み、輪ゴムで止める等して花心部を形成し、その外側に比較的大型であって縦に二つ折りしたタオルを蛇腹状に皺を作るようにしながら巻き付けて中途部外周を輪ゴムで止め、花心回りの二重状の縁部を花弁型に広げて形成し、その根元部分をタオル保持器に装着するようにしたもの等、一枚のタオルだけではなく、タオルを適宜組み合わせてできるだけ花弁状の外観に似せて見えるようにするのが好ましい。
【００１０】
支持枠籠は、タオル保持器の外周壁面および底面部を包囲するように収容してタオル保持器の形状を維持した上、タオル保持器全体を所望の姿勢に支持可能となるようにする機能を果たすものであって、射出成型されたプラスチックや、プレス成型された金属、あるいは籐等を含む天然木材等から形成されたものとするのが望ましく、その外周壁面には、造花や他の飾りを挿込んで取り付けることができるよう網目状あるいは多数の孔が穿孔されたものとすべきであり、外周縁の適所には、札の装着部や、下記する立設用脚台への取付け部等を設けたものとすることができる。
【００１１】
立設用脚台は、タオル保持器が装着された支持枠籠を、祭壇に隣接して飾られたときに相応しい高さが維持され、タオル保持器の表面を上向き傾斜状とするよう、上記の支持枠籠を所望の姿勢に支持可能とする機能を果たすものであり、プラスチックや金属の外、籐等を含む天然木材からなる脚柱状、枠型状、あるいは器状物の開口側を下向きに伏せたようなもの等とすることが可能であり、その上端側の適所には表示札の装着部その他を合わせて形成するようにしたもの等とすることもできる。
【００１２】
花籠は、後述のタオル保持器の表面を上向き状、あるいは上向き傾斜状の姿勢に収容、保持して籠に花を盛り付けた状態に装飾可能とする機能を果たすものであり、同タオル保持器を収容可能な形状のものとなるよう、当該タオル保持器のサイズに合わせて形成するようにするか、あるいは、この発明のものではない使われ方で既に出回っている花籠を転用し、逆に上記したこの発明のタオル保持器側を、その中に収容可能とするような形状のものとして対応することも可能であり、それらはプラスチックや籐等を含む天然木材等から形成したものとすることができる。
【００１３】
【関連する発明】
上記した葬祭用供花に関連し、この発明には、前述の葬祭用供花に好適に使用可能とするタオル保持器も包含しており、その構成は基本的に次のとおりのものである。
即ち、多角形で、各辺の夫々には折曲可能な糊代状舌片部を有する形状とした厚紙、プラスチック、金属等の平板状基板の略中央に大径の装着孔を形成すると共に、その周辺に、それよりも小径の装着孔を適宜間隔を隔て多数、散在状に配置、穿孔したものとするか、もしくは穿孔可能とするミシン目加工の施してなる構成を要旨とするタオル保持器である。
【００１４】
この発明に包含されるタオル保持器を、さらに具体的な構成によって示すならば、幅寸法５００ｍｍ前後の八角形で、各辺の夫々には折曲可能な糊代状舌片部を有する形状とした厚紙、プラスチック、金属等の平板状基板の略中央に直径１２０ｍｍ前後の装着孔を１個形成すると共に、その周辺に、直径６０ｍｍ前後の装着孔を適宜間隔を隔て２０個程度を散在状に配置、穿孔したものとするか、もしくは穿孔可能とするミシン目加工を施してなるものとするかした、前記何れか記載の葬祭用供花に使用するタオル保持器であるということができる。
【００１５】
また、この発明のタオル保持器を、表現を変えて示せば、表面側を凹面状または凸面状に形成した厚板状発泡樹脂体の表面略中央に大径の装着孔、有底装着穴、または装着溝を形成すると共に、その周辺に、それよりも小径の装着孔、有底装着穴、または装着溝を適宜間隔を隔て多数、散在状に配置、成型してなるものとした、前記何れか記載の葬祭用供花に使用するタオル保持器であるということも可能である。
【００１６】
さらに具体的には、直径が約５００ｍｍ前後の略円形凸面状に形成された厚板状発泡樹脂体の表面略中央に直径１００ｍｍ前後の１個の有底装着穴を形成すると共に、その周辺に、遠心側へ向かう程裏面側へ後退、穿設されるようにした直径５０ｍｍ前後の有底装着穴を適宜間隔を隔て約２０個前後散在状に配置、成型してなるものとした、前記何れか記載の葬祭用供花に使用可能なタオル保持器であるということができる。
【００１７】
平板状基板は、所定の形状、面積範囲に花弁状に折り畳み造形されたタオルを脱着できる状態に装着可能として、花環状あるいは盛花状に装飾可能とする機能を果たすものであって、複数枚のタオルを装着した場合であっても不用意に破損、変形しない程度の強度に形成されたものとしなければならず、三角形以上の多角形状に形成され、その外周縁部には、折り曲げ可能な糊代状舌片部を一体的に形成したものとしなければならず、工場生産直後の出荷状態では、平板状に形成されており、供花飾り付けの際に、糊代状舌片部を裏面側へ折り曲げて多角形短筒状に形成したものとすべきであって、厚紙、プラスチック、金属等の素材から形成されたものとするのが望ましい。
【００１８】
糊代状舌片部は、平板状基板の裏面側へ折り曲げられると、平板状基板の裏面側に多角形短筒状の空間部を形成して、平板状基板に装着されたタオルの一部を収容可能とする空間を形成すると共に、前記した葬祭用供花を形成する際に、その支持枠籠または花籠への装着を安定させる機能を果たすものであり、タオル保持器を支持枠籠内に装着する際に、装着深さを規制する位置決め機能をも果たすものとなり、しかも平板状基板の外周縁部剛性を高めて、不用意な変形を防止する機能をも果たすものとなり、工具等を用いる事なく、手作業によって平板状基板に対して折曲することが可能なものとすべきであり、必要に応じて薄肉部やミシン目、あるいは布や軟質樹脂シート、もしくはヒンジ構造等を設けて、折り曲げ作業を容易にしたものとすることができる。
【００１９】
装着孔は、花弁状に折り畳まれたタオルの根元側部分の一部を挿着、保持可能とする機能を果たすものであり、平板状基板上にミシン目として形成し、供花を飾り付ける際にミシン目に沿って穿孔するか、工場出荷のときに既に穿孔されたものとするかすることが可能である外、三角形の掛け爪部の複数枚を中心に向けて突設状に形成されてなるものとして、掛け爪部同士の接合縁部同士をミシン目で一体化したものに形成し、飾り付けの際にミシン目を押し破りながら、花弁状に折り畳んだタオルを装着できるように形成したものとすることもできる。
【００２０】
厚板状発泡樹脂体は、工場で生産された形状のままで、その表面部に複数枚のタオルを挿着することを可能とするタオル保持器を形成するようにしたものであって、支持枠籠に装着したり、あるいは手提げ型の花籠に盛り付けたりすることを可能とする機能を果たすものであり、発泡スチロール、スポンジ、発泡ウレタン等の発泡樹脂から一体成型されたものとしなければならず、装着孔、有底装着穴または装着溝等を複数形成したものとし、しかも、有底装着穴が、その内側底部付近を開口部付近よりも拡大してタオル保持空間部を有する形状のものに形成すれば極めて好都合のものになる。
以下では、図面に示すこの発明を代表する実施例と共に、その構造について詳述していくこととする。
【００２１】
【実施例１】
図１のタオル保持器の平面図、および図２のタオル保持器の断面図に示される事例は、段ボール紙を裁断して形成したものであって、この発明の基本的構成を兼備したタオル保持器の代表的な実施例を示すものである。
当該タオル保持器２は、その本体が幅寸法Ｗ４８０ｍｍ前後の正八角形に形成された平板状基板３からなり、各外周辺の夫々に幅Ｐ５０ｍｍ前後の長方形状に形成した糊代状舌片３２，３２，……を一体的に形成した全幅５８０ｍｍ前後の一枚の平板状の段ボール製厚紙によって形成されている。
【００２２】
そして、その中央には、中心に向けて三角形の掛け爪部３３，３３，……８枚を形成した直径１２０ｍｍ程度の装着孔３１を一個形成し、この装着孔３１の中心から遠心方向にｄ１２０ｍｍ離れた円周上には４５゜の開き角度毎に、中心に向けて三角形の掛け爪部３３，３３，……８枚を形成した直径６０ｍｍ程度の装着孔３１を８個形成したものであり、装着孔３１，３１，……は、図３のタオル保持器の平面図に示すように、掛け爪部３３，３３，……を形成せず、円形状に穿孔されたものとすることが可能である外、装着孔３１，３１，……の各円周部もしくは掛け爪部３３，３３，……の形状縁部に沿ってミシン目を形成したもの等とすることができる。
【００２３】
【実施例２】
図４の発泡樹脂製のタオル保持器の平面図、および図５のタオル保持器の断面図に示される事例は、この発明に包含されるタオル保持器の他の実施例を示すものであり、当該タオル保持器２は、円盤型厚板状の発泡スチロールやスポンジ、発泡ウレタン等の発泡樹脂成型品から形成されており、外径寸法Ｗが５２０ｍｍ、厚さＴ１５０ｍｍ前後に形成され、その表側面が凸面状に形成されたものとなっている。
【００２４】
その最も突出する表面中央部分に直径１００ｍｍ、深さ５０ｍｍ程度の円柱形状の有底装着穴３４を一個形成し、この中心から遠心方向にｄ１１０ｍｍの円周上であって、４５゜の開き角度毎に直径５０ｍｍ、深さ５０ｍｍ程度の有底装着穴３４，３４，……を８個形成し、これら有底装着穴３４，３４，……の開口縁部が、中央の有底装着穴３４の開口縁部有よりもＨ約２０ｍｍ低く後退した配置とされ、中心から遠心方向にＤ１９５ｍｍ前後の円周上であって、３２．７゜の開き角度毎に直径５０ｍｍ、深さ５０ｍｍ程度の有底装着穴３４，３４，……を１１個形成し、中央に近い８個の有底装着穴３４，３４，……よりも、さらにＨ約２０ｍｍ低い位置に後退して配置されたものとしている。
【００２５】
また、図６のタオル保持器の平面図、および図７のタオル保持器の断面図に示されるように、タオル保持器２全体を比較的軟質なスポンジや発泡ウレタン等から形成し、中央の直径１００ｍｍの円柱状の有底装着穴３４の周囲に、中心からｄ１１０ｍｍ離れた円周上、および中心からＤ１９５ｍｍ離れた円周上の夫々に同心輪状に配置された装着溝３５，３５を形成した上、さらに、有底装着穴３４および各装着溝３５，３５の底部幅を拡大してタオル保持空間部３６，３６，３６を形成したものとすることも可能である。
【００２６】
【作用】
以上のとおりの構成からなるこの発明のタオル保持器２は、図８の葬祭用供花の組立て状態の斜視図、および図９の葬祭用供花の斜視図に示されるようにして組み立てられるものであって、図１および図２に示した段ボール製のタオル保持器２は、工場出荷の際には平板状であって複数枚を重ねた荷姿で運搬、保管することが可能であり、供花として飾り付けるときに、一枚を取出し、外周側の全ての糊代状舌片３２，３２，……を、図２中に鎖線で示すように、裏面側に向けて垂直状に折り畳むと共に、中央の大径の装着孔３１には、中型のタオルを蛇腹状に折り畳んで花心部を形成し、この花心部に縦折りにした大型のタオルを巻き付けるようにして二重の花弁状に形成したタオル製造花４を装着する。
【００２７】
一方、その周囲の小径の装着孔３１，３１，……には、手拭き用等の小型のタオルを花心部状に折り畳み、中型のタオルを縦折りにして巻き付けて二重の花弁状に形成したタオル製造花４，４，……を、夫々根元側から挿し込んで掛け爪部３３，３３，……に掛合させた状態とし、平板状基板３裏面側に糊代状舌片３２，３２，……を折り畳んで形成した短筒状空間部内にタオル製造花４，４，……の根元部分を収容した状態に仕上げたものとする。
【００２８】
こうしてタオル製造花４，４，……で飾られた平板状基板３の外周部等には、プラスチックや紙、布等からなる造花による装飾を施し、図８中の円形皿枠形に形成されたプラスチック製の支持枠籠５内に装着すると共に、同じくプラスチック製であって上下分割形の立設用脚台６（６１，６２）上にやや上方に傾斜された状態となるよう連結したものとした上、上部立設用脚台６１に名入れ用の札や、鳳凰の飾り等を装着して、図９のように仕立てることが可能である。
なお、図３のように、掛け爪部３３，３３，……を設けない装着孔３１，３１，……であっても、略同様にタオル製造花４，４，……を装着して葬祭用供花１を形成することが可能である。
【００２９】
図４および図５のタオル保持器２は、各有底装着穴３４，３４，……の夫々に、直径に応じた大きさのタオルから作られたタオル製造花４，４，……を圧入状に装着したものとし、支持枠籠５に装着して、図８および図９のように、立設用脚台６上に傾斜状に装着、支持させたものとすることが可能である外、図１０の手提げ型の花籠の斜視図に示すように、手提げ型の花籠７内に盛り付け状に装着することも可能であり、その中央側程突出した形状のものでは、盛り花のボリューム感を強調するものとなり、また、中央側程凹面状となる形状によるものでは、立設用脚台６上に設置したときの広がり感を強調したものとなる。
【００３０】
【効果】
以上のとおり、この発明の葬祭用供花によれば、何よりもまず、日用品として重宝なタオルを、祭壇の供花として供えることを可能とし、従前までの生花や造花に劣ることのない演出が可能で、しかもリサイクル利用という付加価値が得られる上、葬祭に相応しい淡い色彩に染色されたタオルは、生花や造花のように一回限りの使用で資源の無駄使いをするのではなく、その後も有効に活用されるという大きな利点を有し、また、タオル保持器を用いることにより、ボリューム感のある演出効果が得られるばかりでなく、装着孔、有底装着穴、または装着溝を予め適正に配置したものとすることによって誰でもが好適な密度にタオルを飾り付け可能にするものとなり、さらに、従前までの複雑な形状となりがちであったタオル保持器を、一枚の段ボールや発泡樹脂成型品によって形成し、一般家庭ゴミとしてリサイクル処理できるものとしたので、従来不可欠とされてきた葬儀店による回収を不要として人件費や交通費を半減し、より低廉にて提供することを実現可能にするという秀れた特徴が得られるものである。
【００３１】
また、この発明に包含されるタオル保持器によれば、外周縁部に添って糊代状舌片部を一体形成した多角形平板状のものとなし、未使用の状態においては複数枚を重ねて保管、運搬できるようにし、収納や搬送の効率を格段に向上させることができると共に、厚紙やプラスチック製とすることにより、比較的軽量で取り扱い易く、しかもリサイクル利用可能な家庭ゴミとして処理することができるものとなり、また、発泡樹脂成型品のものでは、軽量なのは勿論のこと、その表面形状を予め変化あるものとすることが容易であって、その凸面形あるいは凹面形とした表面にタオルを飾り付けることができるので、従前までは画一的な花輪しか提供できなかったが、これを改善して多彩な形状の花輪を提供することができるものとなる上、素材となる発泡樹脂成型品もまた、家庭ゴミとしてリサイクル処理可能なことから、格段に安価な提供が可能となるという秀れた効果が得られるものである。
【００３２】
特に、実施例に説明した葬祭用供花１は、上記した特徴に加え、図１および図２に示す段ボール紙製平板状基板３のように、装着孔３１，３１，……の夫々に複数の掛け爪部３３，３３，……を形成したものとしてあって、装着孔３１，３１，……に装着されたタオル製造花４，４，……が確実に掛け止められ、不用意に落下することを防止できると共に、タオル製造花４を取り外すときには、掛け爪部３３，３３，……が容易に変形してタオルを傷つけたり破損したりしてしまうことのない取外しを可能にするという利点が得られるものとなる。
【００３３】
また、板厚状の発泡合成樹脂体によるものでは、装着孔、有底装着穴、または装着溝の底部付近に開口部付近よりも拡大したタオル保持空間部を形成したものとなし、タオル製造花４，４，……を確実に装着することが可能となるようにしたものとすることができる上、その素材状の特徴と肉厚な構造とから、生花や造花あるいは他の装飾品の根元部分に針やピン等を設けて任意の場所に突き挿して装着、固定することも容易になり、飾り付けに変化を持たせるための自由度が高められるという秀れた効果が期待できるものとなる。
【００３４】
叙述の如く、この発明の葬祭用供花、およびそれに使用するタオル保持器は、その新規な構成によって所期の目的を遍く達成可能とするものであり、しかも製造、組立て、および飾り付けも容易であって、従前までの使用後にタオルを取り外し、台座部分のみを回収して再生利用する構造のものに比較し、人件費や輸送費、保守管理費用等を削減して遥かに経済的なものとすることができる上、葬儀店の回収作業負担を大幅に削減して提供価格を大幅に引き下げ可能とすることから、低価格化と品質の向上とが強く求められている葬祭具、およびこれに関連する業界において高く評価され、広範に渡って利用、普及していくものになると予想される。
【図面の簡単な説明】
図面は、この発明の葬祭用供花、およびそれに使用するタオル保持器の技術的思想を具現化した幾つかの実施例を示すものである。
【図１】平面状に形成したタオル保持器を示す平面図である。
【図２】図１中のＡ−Ａ部分を示す断面図である。
【図３】他の平板状に形成したタオル保持器を示す平面図である。
【図４】凸面状に形成したタオル保持器を示す平面図である。
【図５】図４中のＢ−Ｂ部分を示す断面図である。
【図６】他の凸面状に形成されたタオル保持器を示す平面図である。
【図７】図６のタオル保持器を示す断面図である。
【図８】分解状態にある立設型の葬祭用供花を示す斜視図である。
【図９】組み立てを完了した立設型の葬祭用供花を示す斜視図である。
【図１０】組み立てを完了した手提げ型の葬祭用供花を示す斜視図である。
【符号の説明】
１      葬祭用供花
２      タオル保持器
３      平板状基板
３１    同  装着孔
３２    同  糊代状舌片
３３    同  掛け爪部
３４    同  有底装着穴
３５    同  装着溝
３６    同  タオル保持空間部
４      タオル製造花
５      支持枠籠
６      立設用脚台
６１    同  上部立設用脚台
６２    同  下部立設用脚台
７      手提げ型の花籠
【図１】
0003995234.tif 000002
【図２】
0003995234.tif 000003
【図３】
0003995234.tif 000004
【図４】
0003995234.tif 000005
【図５】
0003995234.tif 000006
【図６】
0003995234.tif 000007
【図７】
0003995234.tif 000008
【図８】
0003995234.tif 000009
【図９】
0003995234.tif 000010
【図１０】
0003995234.tif 000011